(57)【要約】      （修正有）【課題】車に搭載したカーラジオやオーディオ機器にノイズが入らず、ナンバープレートの文字が均一に光るとともに、耐久性が良好でしかも製造が簡単な字光式ナンバープレート用枠体を提供する。【解決手段】ナンバープレート３を保持する扁平なケース１内に、透光性の樹脂レンズ内にＬＥＤ素子を埋設した発光体を基板上に複数設置した光源と、少なくともナンバープレートの文字部に対向する導光板６を配設し、光源を自動車電源に接続することにより字光式ナンバープレート用枠体を構成する。【選択図】図３
0003122462.tif 000002
【実用新案登録請求の範囲】
【請求項１】
ナンバープレートを保持する扁平なケース内に、透光性の樹脂レンズ内にＬＥＤ素子を埋設した発光体を基板上に複数設置した光源と、少なくともナンバープレートの文字部に対向する導光板を配設し、前記光源を自動車電源に接続した字光式ナンバープレート用枠体。
【請求項２】
ナンバープレートを保持する扁平なケース内に、ケースの長手方向の一辺に沿って配置した導光板と対応する長さを有し透光性の樹脂レンズ内にＬＥＤ素子を埋設した発光体を基板上に複数設置した光源と、少なくともナンバープレートの文字部に対向する略均一な厚さを有する合成樹脂からなる導光板を配設し、前記光源を自動車電源に接続した字光式ナンバープレート用枠体。
【請求項３】
ナンバープレートを保持する扁平なケース内に、ケースの長手方向の一辺に沿って配置した導光板と対応する長さを有し透光性の樹脂レンズ内にＬＥＤ素子を埋設した発光体を基板上に複数設置した光源と、少なくともナンバープレートの文字部に対向する略均一な厚さを有する合成樹脂からなりナンバープレート側とは反対側に反射シート層を設けた導光板を配設し、前記光源を自動車電源に接続した字光式ナンバープレート用枠体。
【請求項４】
ナンバープレートを保持する扁平なケース内に、ケースの長手方向の一辺に沿って配置した導光板と対応する長さを有し透光性の樹脂レンズ内にＬＥＤ素子を埋設した発光体を基板上に複数設置した光源と、少なくともナンバープレートの文字部に対向する略均一な厚さを有する合成樹脂からなりナンバープレート側とは反対側に反射シート層を設けた導光板を配設し、さらに導光板のナンバープレート側に拡散層を設け、前記光源を自動車電源に接続した字光式ナンバープレート用枠体。
【請求項５】
ナンバープレートを保持する扁平なケース内に、ケースの長手方向の一辺に沿って配置した導光板と対応する長さを有し透光性の樹脂レンズ内にＬＥＤ素子を埋設した発光体を基板上に複数設置した光源と、少なくともナンバープレートの文字部に対向する略均一な厚さを有する合成樹脂からなる導光板を配設し、前記光源を自動車電源に接続するとともに、ケースの全周縁部を覆う開閉枠をケースに係合した字光式ナンバープレート用枠体。
【請求項６】
ナンバープレートを保持する扁平なケース内に、ケースの長手方向の一辺に沿って配置した導光板と対応する長さを有し透光性の樹脂レンズ内にＬＥＤ素子を埋設した発光体を基板上に複数設置した光源と、少なくともナンバープレートの文字部に対向する略均一な厚さを有する合成樹脂からなりナンバープレート側とは反対側に反射シート層を設けた導光板を配設し、前記光源を自動車電源に接続するとともに、ケースの全周縁部を覆う開閉枠をケースに係合した字光式ナンバープレート用枠体。
【請求項７】
ナンバープレートを保持する扁平なケース内に、ケースの長手方向の一辺に沿って配置した導光板と対応する長さを有し透光性の樹脂レンズ内にＬＥＤ素子を埋設した発光体を基板上に複数設置した光源と、少なくともナンバープレートの文字部に対向する略均一な厚さを有する合成樹脂からなりナンバープレート側とは反対側に反射シート層を設けた導光板を配設し、さらに導光板のナンバープレート側に拡散層を設け、前記光源を自動車電源に接続するとともに、ケースの全周縁部を覆う開閉枠をケースに係合した字光式ナンバープレート用枠体。
【考案の詳細な説明】
【技術分野】
【０００１】
本考案は、ナンバープレートの文字部分が均一に光り、耐久性が良好で、製造が簡単な字光式ナンバープレート用枠体に関する。
【背景技術】
【０００２】
従来の字光式ナンバープレート用枠体は、扁平なケースの内部に照明灯を設けるとともに、ケースの前面に開閉枠を取り付けて、この開閉枠に規定の地色に着色され、文字部分を打ち抜き、該文字部分に透明ないし半透明の合成樹脂を貼着したナンバープレートを固定し、夜間等にナンバープレートの文字が照明灯により光るようにしたものである。
【０００３】
このような字光式ナンバープレート用枠体によれば、ナンバープレートの文字が照明灯により光るため、夜間等に遠距離からでもナンバープレートの文字を識別することが可能となるが、従来のものでは光源となる照明灯近傍の文字は強く光り、一方照明灯から遠い文字は弱く光るため光むらを生じるとともに、照明灯として白熱電球を使用しているため照明灯の寿命が短く、ひんぱんに照明灯を取り替える必要があるという欠点があった。
【０００４】
このような欠点を解消するために、字光式ナンバープレート用枠体に使用する光源として、冷陰極管、ＥＬ素子、ＬＥＤ素子等を使用することが提案されている。（例えば、特許文献１〜３参照）
【特許文献１】特開２０００−３１３２７９号公報
【特許文献２】特開平１０−８１１７９号公報
【特許文献３】実開平７−０１５４５１号公報
【０００５】
しかしながら、このような光源として冷陰極管を使用した場合には、車に搭載したカーラジオやオーディオ機器にノイズが入り不快感を与えるという問題がある。また、光源として他の素子を使用した場合にも、ナンバープレート上で光むらを生じ、ナンバープレートを均一に光らせることが困難であった。
【考案の開示】
【考案が解決しようとする課題】
【０００６】
したがって、本考案は上記従来技術の欠点を解消し、車に搭載したカーラジオやオーディオ機器にノイズが入らず、ナンバープレートの文字が均一に光るとともに、耐久性が良好でしかも製造が簡単な字光式ナンバープレート用枠体を提供することを目的とする。
【課題を解決するための手段】
【０００７】
本考案では、上記課題を解決するために、次の１〜７の構成を採用する。
１．ナンバープレートを保持する扁平なケース内に、透光性の樹脂レンズ内にＬＥＤ素子を埋設した発光体を基板上に複数設置した光源と、少なくともナンバープレートの文字部に対向する導光板を配設し、前記光源を自動車電源に接続した字光式ナンバープレート用枠体。
２．ナンバープレートを保持する扁平なケース内に、ケースの長手方向の一辺に沿って配置した導光板と対応する長さを有し透光性の樹脂レンズ内にＬＥＤ素子を埋設した発光体を基板上に複数設置した光源と、少なくともナンバープレートの文字部に対向する略均一な厚さを有する合成樹脂からなる導光板を配設し、前記光源を自動車電源に接続した字光式ナンバープレート用枠体。
３．ナンバープレートを保持する扁平なケース内に、ケースの長手方向の一辺に沿って配置した導光板と対応する長さを有し透光性の樹脂レンズ内にＬＥＤ素子を埋設した発光体を基板上に複数設置した光源と、少なくともナンバープレートの文字部に対向する略均一な厚さを有する合成樹脂からなりナンバープレート側とは反対側に反射シート層を設けた導光板を配設し、前記光源を自動車電源に接続した字光式ナンバープレート用枠体。
４．ナンバープレートを保持する扁平なケース内に、ケースの長手方向の一辺に沿って配置した導光板と対応する長さを有し透光性の樹脂レンズ内にＬＥＤ素子を埋設した発光体を基板上に複数設置した光源と、少なくともナンバープレートの文字部に対向する略均一な厚さを有する合成樹脂からなりナンバープレート側とは反対側に反射シート層を設けた導光板を配設し、さらに導光板のナンバープレート側に拡散層を設け、前記光源を自動車電源に接続した字光式ナンバープレート用枠体。
５．ナンバープレートを保持する扁平なケース内に、ケースの長手方向の一辺に沿って配置した導光板と対応する長さを有し透光性の樹脂レンズ内にＬＥＤ素子を埋設した発光体を基板上に複数設置した光源と、少なくともナンバープレートの文字部に対向する略均一な厚さを有する合成樹脂からなる導光板を配設し、前記光源を自動車電源に接続するとともに、ケースの全周縁部を覆う開閉枠をケースに係合した字光式ナンバープレート用枠体。
６．ナンバープレートを保持する扁平なケース内に、ケースの長手方向の一辺に沿って配置した導光板と対応する長さを有し透光性の樹脂レンズ内にＬＥＤ素子を埋設した発光体を基板上に複数設置した光源と、少なくともナンバープレートの文字部に対向する略均一な厚さを有する合成樹脂からなりナンバープレート側とは反対側に反射シート層を設けた導光板を配設し、前記光源を自動車電源に接続するとともに、ケースの全周縁部を覆う開閉枠をケースに係合した字光式ナンバープレート用枠体。
７．ナンバープレートを保持する扁平なケース内に、ケースの長手方向の一辺に沿って配置した導光板と対応する長さを有し透光性の樹脂レンズ内にＬＥＤ素子を埋設した発光体を基板上に複数設置した光源と、少なくともナンバープレートの文字部に対向する略均一な厚さを有する合成樹脂からなりナンバープレート側とは反対側に反射シート層を設けた導光板を配設し、さらに導光板のナンバープレート側に拡散層を設け、前記光源を自動車電源に接続するとともに、ケースの全周縁部を覆う開閉枠をケースに係合した字光式ナンバープレート用枠体。
【考案の効果】
【０００８】
本考案によれば、車に搭載したカーラジオやオーディオ機器にノイズが入らず、ナンバープレートの文字が均一に光るとともに、耐久性が良好でしかも製造が簡単な字光式ナンバープレート用枠体を低コストで得ることができる。本考案の字光式ナンバープレート用枠体は、光源による発熱を抑制し、省エネルギー効果に優れるものであり、実用的価値が極めて高いものである。
【考案を実施するための最良の形態】
【０００９】
つぎに、図面に基づいて本考案の好ましい形態について詳細に説明するが、これらの具体例は本考案を限定するものではない。
図１〜図４は、本考案の字光式ナンバープレート用枠体の１例を示す図であり、図１は枠体の正面図、図２は図１のＡＡ線における断面図、図３は図１のＢＢ線における断面図を表す。また、図４は光源の拡大模式図で、（Ａ）は正面図、（Ｂ）は平面図である。
【００１０】
この例では、ケース１に開閉枠２がヒンジ９により回動自在に係合されており、開閉枠２の前面にはナンバープレート３がネジ等により取り付けられる。ナンバープレート３の表面には、さらに照光カバー（図示せず）を設けるようにしてもよい。ケース１の下部には光源４を設け、光源４の上部には導光板６を配設する。光源４は、自動車電源に接続される。
【００１１】
光源４は、図４に見られるように、合成樹脂等からなる基板２１の上に透光性の樹脂レンズ２２内にＬＥＤ素子２３を埋設した発光体２４を等間隔で多数設置することにより構成する。この光源４は、ケース１の長手方向の下辺に沿って導光板６の下端部と対応する略同一の長さとなるように設置する。このような光源４を使用することにより、光源の寿命が飛躍的に向上し、発熱を抑えることができる。このＬＥＤ素子を使用した光源４は消費電力が少なく省エネルギー効果に優れるとともに、冷陰極管のように車に搭載したカーラジオやオーディオ機器にノイズを発生させて不快感を与えることがない。
【００１２】
導光板６は、アクリル系樹脂等の合成樹脂により略均一な厚さに構成することが好ましい。導光板６の裏面（ナンバープレートとは反対側）には、反射シート層１０を設けることによって、光が漏れるのを防止する。また、導光板６とナンバープレート３との間に拡散シート層７を設けるようにしてもよい。
このような構成とすることによって、光源４から発した光を導光板６に導入した際に、ナンバープレートの文字を均一に光らせることができる。
【００１３】
図５〜図７は本考案の字光式ナンバープレート用枠体の他の例を示す図であり、図５は枠体の正面図、図６は図５のＣＣ線における断面図、そして図７は図５のＤＤ線における断面図である。
この例では、ケース１に導光板６、拡散シート７及びナンバープレート３を、ビス１２等により直接取り付けるように構成したほかは、図１〜図４の枠体と基本的に同様の構成を有する。
また、図８（枠体の背面図）及び図９（図８のＥＥ線における断面図）にみられるように、ケース１の背部に補強用のステー１３を設け、このステー１３にゴム脚１４を付設するようにすることもできる。
さらに、必要に応じて、ケース１の内側周縁部に、防水のために全周にわたってゴムパッキン（図示せず）を設けるようにしてもよい。
【図面の簡単な説明】
【００１４】
【図１】本考案の字光式ナンバープレート用枠体の１例を示す正面図である。
【図２】図１のＡＡ線における断面図である。
【図３】図１のＢＢ線における断面図である。
【図４】図１の枠体で使用する光源の模式図である。
【図５】本考案の字光式ナンバープレート用枠体の他の例を示す正面図である。
【図６】図５のＣＣ線における断面図である
【図７】図５のＤＤ線における断面図である。
【図８】本考案の字光式ナンバープレート用枠体の他の例を示す背面図である。
【図９】図８のＥＥ線における断面図である。
【符号の説明】
【００１５】
１      ケース
２      開閉枠
３      ナンバープレート
４      光源
６      導光板
７      拡散シート層
９      ヒンジ        
１０    反射シート層
１２    ビス  
１３    ステー
１４    ゴム脚
２１    基板
２２    樹脂レンズ
２３    ＬＥＤ素子
２４    発光体
【図１】
0003122462.tif 000003
【図２】
0003122462.tif 000004
【図３】
0003122462.tif 000005
【図４】
0003122462.tif 000006
【図５】
0003122462.tif 000007
【図６】
0003122462.tif 000008
【図７】
0003122462.tif 000009
【図８】
0003122462.tif 000010
【図９】
0003122462.tif 000011